(57)【要約】【課題】いかなる文字列をも虚像として上方又は下方に現出させることのできる虚像現出装飾体を提供する。【解決手段】平凸レンズ状集光素層と透明基板層と画素層とを積層してなる虚像現出装飾体において、平凸レンズ状集光素層の平凸レンズ状集光素を縦横に一定間隔で整列させ、画素層を画素が多数縦横に形成してなる複数の画素群から構成し、各画素群の画素を平凸レンズ状集光素の縦方向の間隔に近い一定間隔で縦方向に整列された格子線と平凸レンズ状集光素の横方向の間隔に近い一定間隔で横方向に整列された格子線とからなる格子の各枡目毎に形成すると共に縦横に一定間隔で整列させ、画素の大きさを格子の枡目の大きさに対して２０〜８０％の大きさの枠内に収まる大きさとし、各画素群の中央又は中央近傍に位置する画素が該画素を含む画素群の他の画素に比べて平凸レンズ状集光素と最も重なるようにする。【選択図】  図１
2005007593.tif 000002
【特許請求の範囲】
【請求項１】
平凸レンズ状集光素を多数形成してなる平凸レンズ状集光素層と該平凸レンズ状集光素層の下に積層された透明基板層と該透明基板層の下に積層された画素層とからなる虚像現出装飾体であって、前記平凸レンズ状集光素層は、縦方向及び横方向にそれぞれ一定間隔で整列された平凸レンズ状集光素を有しており、前記画素層は、画素を多数縦横に形成してなる複数の画素群から構成されていると共に、少なくとも一つの画素群における画素の形態が他の画素群における画素の形態と異なっており、それぞれの画素群は、前記平凸レンズ状集光素の縦方向の間隔に近い一定間隔で縦方向に整列された格子線と前記平凸レンズ状集光素の横方向の間隔に近い一定間隔で横方向に整列された格子線とからなる格子の各枡目毎に形成された画素を有していると共に、該画素は縦方向及び横方向にそれぞれ一定間隔で整列されており、該画素の大きさは格子の枡目の大きさに対して２０〜８０％の大きさに形成された枠内に収まる大きさとなっており、平凸レンズ状集光素層と画素層とは、各画素群の中央又は中央近傍に位置する一の画素が該一の画素を含む画素群における他の画素に比べて平凸レンズ状集光素と最も重なるように積層されており、各画素群において前記最も重なっている画素を含む画素列に対して等距離にある一対の他の画素列が該他の画素列に対応する平凸レンズ状集光素列に対して該最も重なっている画素を含む画素列を中心としてずれていると共に、該最も重なっている画素を含む画素列よりも外側の画素列ほどずれる幅が大きくなっており、画素群を構成する画素の形態と同一形態の虚像又は画素群を構成する画素の形態を変形した形態の虚像が各画素群毎に独立した状態で上方又は下方に現出することを特徴とする虚像現出装飾体。
【請求項２】
平凸レンズ状集光素を多数形成してなる平凸レンズ状集光素層と該平凸レンズ状集光素層の下に積層された透明基板層と該透明基板層の下に積層された画素層とからなる虚像現出装飾体であって、前記平凸レンズ状集光素層における平凸レンズ状集光素は、縦方向及び横方向にそれぞれ一定間隔で整列されており、前記画素層は、画素を多数縦横に形成してなる複数の画素群から構成されていると共に、少なくとも一つの画素群における画素の形態が他の画素群における画素の形態と異なっており、それぞれの画素群における画素は、前記平凸レンズ状集光素の縦方向の間隔に近い一定間隔で縦方向に整列された格子線と前記平凸レンズ状集光素の横方向の間隔に近い一定間隔で横方向に整列された格子線とからなる格子の各枡目毎に形成されていると共に、縦方向及び横方向にそれぞれ一定間隔で整列されており、該画素の大きさが格子の枡目の大きさに対して２０〜８０％の大きさに形成された枠内に収まる大きさとなっており、
平凸レンズ状集光素層と画素層とは、各画素群の中央又は中央近傍に位置する一の画素が該一の画素を含む画素群における他の画素に比べて平凸レンズ状集光素と最も重なるように積層されており、各画素群において前記最も重なっている画素を含む画素列に対して等距離にある一対の他の画素列が該他の画素列に対応する平凸レンズ状集光素列に対して該最も重なっている画素を含む画素列を中心としてずれていると共に、該最も重なっている画素を含む画素列よりも外側の画素列ほどずれる幅が大きくなっており、画素群を構成する画素の形態と同一形態の虚像又は画素群を構成する画素の形態を変形した形態の虚像が各画素群毎に独立した状態で上方又は下方に現出することを特徴とする虚像現出装飾体。
【請求項３】
それぞれの画素群を構成する画素列の数が平凸レンズ状集光素の横方向の間隔と画素の横方向の間隔との間隔差で平凸レンズ状集光素の横方向の間隔を除した数又はその前後の数であると共に、それぞれの画素群を構成する画素行の数が平凸レンズ状集光素の縦方向の間隔と画素の縦方向の間隔との間隔差で平凸レンズ状集光素の縦方向の間隔を除した数又はその前後の数である請求項１又は２記載の虚像現出装飾体。
【請求項４】
少なくとも一つの画素群において格子の枡目に二種以上の画素が交互に形成されている請求項１乃至３いずれかに記載の虚像現出装飾体。
【発明の詳細な説明】
【０００１】
【発明の属する技術分野】
本発明は、目の錯覚を利用して虚像を現出させる虚像現出装飾体に関するものである。
【０００２】
【従来の技術】
本出願人は、目の錯覚を利用した装飾体として後出特許文献１掲載の「虚像現出装飾体」を開発し、広告板やラベルなどに使用されて好評を得ている。
【０００３】
特許文献１掲載の虚像現出装飾体（以下、「従来品」という）は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に外側（又は内側）へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記平凸レンズ状集光素層の上方（又は画素層の下方）に現出するものである。
【０００４】
【特許文献１】
特開２００１−５５０００号公報
【０００５】
【発明が解決しようとする課題】
ところで、従来品に現出する虚像は、複数の平凸レンズ状集光素からなるドットによって一つの形状に形作られており、平凸レンズ状集光素層に整列される平凸レンズ状集光素の密度を増加させるほどドット数が増えてより明確に表現できる。そして、平凸レンズ状集光素層に整列される平凸レンズ状集光素の密度を増加させるためには、各平凸レンズ状集光素の大きさを小さくする必要があり、これに対応させて画素層に整列される各画素の大きさも小さくする必要がある。
【０００６】
一方、現在の印刷技術では、平凸レンズ状集光素や画素の大きさが小さくなると、印刷時に平凸レンズ状集光素や画素の形状を維持することができなくなるという問題が発生する。そして、この問題は、画素の形状が複雑になるほど顕著に現れる。
【０００７】
従って、従来品においては、虚像を明確に表現する要求と画素の形状を複雑にする要求とを共に満足させることができず、特に、小さな虚像を現出させる場合には、虚像を形作るドット数を確保するために、平凸レンズ状集光素の密度を増やす必要があるので、画素として簡単な形状のものしか採用することができなかった。
【０００８】
ところが、近年、広告板やラベルなどの比較的小さな虚像を現出させる必要のある装飾対象物においても、さらに複雑な形状の虚像による装飾が望まれており、その中でも、広告板やラベルにおいて多用される企業名や商品名などの文字列を虚像として現出させることのできる虚像現出装飾体の開発を望む声が多数寄せられてきた。
【０００９】
しかし、従来品における全ての画素の形状をそれぞれ商品名などの文字列に変更することは、上述した印刷技術上の問題から非常に困難であり、仮令、印刷できたとしても、簡単な形状の文字列や文字数の少ない文字列しか採用することができなかった。
【００１０】
そこで、本発明者は、いかなる文字列をも虚像として現出させることのできる虚像現出装飾体を提供することを技術的課題として、その具現化をはかるべく研究・実験を重ねた結果、平凸レンズ状集光素を多数形成してなる平凸レンズ状集光素層と該平凸レンズ状集光素層の下に積層させた透明基板層と該透明基板層の下に積層された画素層とからなる虚像現出装飾体において、前記平凸レンズ状集光素層を縦方向及び横方向にそれぞれ一定間隔で整列された平凸レンズ状集光素により構成すると共に、前記画素層を画素が多数縦横に形成してなる複数の画素群から構成し、それぞれの画素群を前記平凸レンズ状集光素の縦方向の間隔に近い一定間隔で縦方向に整列された格子線と前記平凸レンズ状集光素の横方向の間隔に近い一定間隔で横方向に整列された格子線とからなる格子の各枡目毎に形成された画素から構成すると共に、該画素を縦方向及び横方向にそれぞれ一定間隔で整列させ、該画素の大きさを格子の枡目の大きさに対して２０〜８０％の大きさに形成された枠内に収まる大きさとし、平凸レンズ状集光素層と画素層とを各画素群の中央又は中央近傍に位置する一の画素が該一の画素を含む画素群における他の画素に比べて平凸レンズ状集光素と最も重なるように積層し、各画素群において前記最も重なっている画素を含む画素列に対して等距離にある一対の他の画素列が該他の画素列に対応する平凸レンズ状集光素列に対して該最も重なっている画素を含む画素列を中心としてずれるようにすると共に、該最も重なっている画素を含む画素列よりも外側の画素列ほどずれる幅が大きくなるように積層すれば、画素群を構成する画素の形態と同一形態の虚像又は画素群を構成する画素の形態を変形した形態の虚像が各画素群毎に独立した状態で上方又は下方に現出するという刮目すべき知見を得、前記技術的課題を達成したものである。
【００１１】
【課題を解決するための手段】
前記技術的課題は、次の通りの本発明によって解決できる。
【００１２】
即ち、本発明に係る虚像現出装飾体は、平凸レンズ状集光素を多数形成してなる平凸レンズ状集光素層と該平凸レンズ状集光素層の下に積層された透明基板層と該透明基板層の下に積層された画素層とからなる虚像現出装飾体であって、前記平凸レンズ状集光素層は、縦方向及び横方向にそれぞれ一定間隔で整列された平凸レンズ状集光素を有しており、前記画素層は、画素を多数縦横に形成してなる複数の画素群から構成されていると共に、少なくとも一つの画素群における画素の形態が他の画素群における画素の形態と異なっており、それぞれの画素群は、前記平凸レンズ状集光素の縦方向の間隔に近い一定間隔で縦方向に整列された格子線と前記平凸レンズ状集光素の横方向の間隔に近い一定間隔で横方向に整列された格子線とからなる格子の各枡目毎に形成された画素を有していると共に、該画素は縦方向及び横方向にそれぞれ一定間隔で整列されており、該画素の大きさは格子の枡目の大きさに対して２０〜８０％の大きさに形成された枠内に収まる大きさとなっており、平凸レンズ状集光素層と画素層とは、各画素群の中央又は中央近傍に位置する一の画素が該一の画素を含む画素群における他の画素に比べて平凸レンズ状集光素と最も重なるように積層されており、各画素群において前記最も重なっている画素を含む画素列に対して等距離にある一対の他の画素列が該他の画素列に対応する平凸レンズ状集光素列に対して該最も重なっている画素を含む画素列を中心としてずれていると共に、該最も重なっている画素を含む画素列よりも外側の画素列ほどずれる幅が大きくなっており、画素群を構成する画素の形態と同一形態の虚像又は画素群を構成する画素の形態を変形した形態の虚像が各画素群毎に独立した状態で上方又は下方に現出するものである。
【００１３】
また、本発明に係る虚像現出装飾体は、平凸レンズ状集光素を多数形成してなる平凸レンズ状集光素層と該平凸レンズ状集光素層の下に積層された透明基板層と該透明基板層の下に積層された画素層とからなる虚像現出装飾体であって、前記平凸レンズ状集光素層における平凸レンズ状集光素は、縦方向及び横方向にそれぞれ一定間隔で整列されており、前記画素層は、画素を多数縦横に形成してなる複数の画素群から構成されていると共に、少なくとも一つの画素群における画素の形態が他の画素群における画素の形態と異なっており、それぞれの画素群における画素は、前記平凸レンズ状集光素の縦方向の間隔に近い一定間隔で縦方向に整列された格子線と前記平凸レンズ状集光素の横方向の間隔に近い一定間隔で横方向に整列された格子線とからなる格子の各枡目毎に形成されていると共に、縦方向及び横方向にそれぞれ一定間隔で整列されており、該画素の大きさが格子の枡目の大きさに対して２０〜８０％の大きさに形成された枠内に収まる大きさとなっており、平凸レンズ状集光素層と画素層とは、各画素群の中央又は中央近傍に位置する一の画素が該一の画素を含む画素群における他の画素に比べて平凸レンズ状集光素と最も重なるように積層されており、各画素群において前記最も重なっている画素を含む画素列に対して等距離にある一対の他の画素列が該他の画素列に対応する平凸レンズ状集光素列に対して該最も重なっている画素を含む画素列を中心としてずれていると共に、該最も重なっている画素を含む画素列よりも外側の画素列ほどずれる幅が大きくなっており、画素群を構成する画素の形態と同一形態の虚像又は画素群を構成する画素の形態を変形した形態の虚像が各画素群毎に独立した状態で上方又は下方に現出するものである。
【００１４】
また、本発明は、前記いずれかの虚像現出装飾体において、それぞれの画素群を構成する画素列の数が平凸レンズ状集光素の横方向の間隔と画素の横方向の間隔との間隔差で平凸レンズ状集光素の横方向の間隔を除した数又はその前後の数であると共に、それぞれの画素群を構成する画素行の数が平凸レンズ状集光素の縦方向の間隔と画素の縦方向の間隔との間隔差で平凸レンズ状集光素の縦方向の間隔を除した数又はその前後の数のものである。
【００１５】
また、本発明は、前記いずれかの虚像現出装飾体において、少なくとも一つの画素群において格子の枡目に二種以上の画素が交互に形成されているものである。
【００１６】
【発明の実施の形態】
以下、本発明の実施の形態を図面に基づき説明する。
【００１７】
実施の形態１．
【００１８】
図１は本実施の形態における虚像現出装飾体を模型的に示した一部省略縦断面図であり、各画素群における基準画素を通過するように切断されている。図２は図１に示す虚像現出装飾体における画素層を示した平面図であり、図中、格子線を点線にて示している。図３は図１に示す虚像現出装飾体の平凸レンズ状集光素と画素との位置関係を説明する平面図であり、図中、平凸レンズ状集光素列及び平凸レンズ状集光素行を示す線を実線、画素列及び画素行を示す線を点線にて示している。図４は図１に示す虚像現出装飾体の下方に現出する虚像を説明する図である。図５は図１に示す虚像現出装飾体を目視した場合に現出する虚像を左目で目視した後に右目で目視したときの画像を示し、図５の（ａ）は左目で目視したときの画像を示し、図５の（ｂ）は右目で目視したときの画像を示している。図６は図１に示す虚像現出装飾体を目視した場合に現出する虚像を右目で目視した後に左目で目視したときの画像を示し、図６の（ａ）は右目で目視したときの画像を示し、図６の（ｂ）は左目で目視したときの画像を示している。これらの図において、１は、凸レンズの役割を果たす同一形状・同一大きさの平凸レンズ状集光素２を多数形成してなる平凸レンズ状集光素層３と、平凸レンズ状集光素層３の下に積層された透明基板４からなる透明基板層５と、透明基板層５の下に積層された画素層６とからなる虚像現出装飾体である。
【００１９】
平凸レンズ状集光素層３における平凸レンズ状集光素２は、縦方向及び横方向にそれぞれ一定間隔で整列されており、縦方向の間隔と横方向の間隔は一致している（図３参照）。
【００２０】
平凸レンズ状集光素２の縦方向及び横方向の間隔は、０．３６３  〜２．５４ｍｍであることが好ましく、より好ましくは０．４２３  〜１．２７ｍｍである。平凸レンズ状集光素２の縦方向及び横方向の間隔が０．３６３ｍｍ  未満になったり、２．５４ｍｍを越えると、平凸レンズ状集光素２の形状を凸レンズ状に成形し難くなる。なお、平凸レンズ状集光素２は、厚盛性のよい透明インクを用いてスクリーン印刷技法により形成すればよい。
【００２１】
透明基板層５における透明基板４は、ガラスや合成樹脂からなるものを使用すればよく、合成樹脂としては、硬質又は軟質いずれであってもよい。また、透明性を有していれば、着色されていてもよい。合成樹脂として硬質のものを使用する場合には、厚さ１ｍｍ  〜５ｍｍ  のものが取扱い易く、軟質のものを使用する場合には、厚さ０．５ｍｍ  〜２ｍｍ  のものが取扱い易い。具体的には、ポリカーボネート、ポリエステル、アクリル又はポリ塩化ビニルなどからなる透明合成樹脂板又は透明フィルムを使用すればよい。
【００２２】
画素層６は、図２の（ａ）に示すように、画素７を多数縦横に整列させてなる３つの画素群８から構成されており、３つの画素群８は横方向に連続するように並べられている。各画素群８には、それぞれ異なる形態の画素７からなっており、左側の画素群８ａは「Ａ」の形態の画素７ａ、中央の画素群８ｂは「Ｂ」の形態の画素７ｂ、右側の画素群８ｃは「Ｃ」の形態の画素７ｃからなっている。なお、画素は銀塩フィルム現像技法（写真製版）により形成すればよく、また、スクリーン印刷、オフセット印刷又は凸版印刷などの方法によって印刷してもよい。
【００２３】
そして、各画素群８における画素７は、平凸レンズ状集光素層３における縦方向の間隔より僅かに狭い一定間隔で縦方向に整列された格子線９ａと、平凸レンズ状集光素層３における横方向の間隔より僅かに狭い一定間隔で横方向に整列された格子線９ｂとからなる格子１０の各枡目毎に形成されていると共に、縦方向及び横方向に一定間隔で整列されている。なお、画素７の縦方向の間隔と横方向の間隔とは一致している。
【００２４】
画素７の大きさは、図２の（ｂ）に示すように、格子１０の枡目の大きさに対して２０〜８０％の大きさに形成された枠１１内に完全に納まる大きさになっている。なお、画素７の大きさは、現出する虚像の大きさと密接に関係しており、格子１０の枡目の大きさに対して２０％未満の大きさに形成された枠１１内に納まる大きさに形成した場合には、現出する虚像が小さくなりすぎてぼやけてしまい、格子１０の枡目の大きさに対して８０％を越える大きさに形成された枠１１内に納まる大きさに形成した場合には、現出する虚像が大きくなりすぎて隣接する画素群８における虚像の境界が不明確となる場合がある。
【００２５】
なお、各画素群８を構成する画素列１２の数は、平凸レンズ状集光素２の横方向の間隔と画素７の横方向の間隔との間隔差で平凸レンズ状集光素２の横方向の間隔を除した数又はその前後の数になっており、また、各画素群８を構成する画素行１３の数は、平凸レンズ状集光素２の縦方向の間隔と画素７の縦方向の間隔との間隔差で平凸レンズ状集光素２の縦方向の間隔を除した数又はその前後の数になっている。
【００２６】
次に、平凸レンズ状集光素２と画素７との位置関係を説明する。
【００２７】
平凸レンズ状集光素層３と画素層６とは、図３に示すように、各画素群８において中央に位置する一の画素（以下、「基準画素」という。）１４が、該基準画素１４を含む画素群８における他の画素７に比べて平凸レンズ状集光素２と最も重なるように積層されている。即ち、画素群８ａにおいて中央に位置する基準画素１４ａが画素群８ａにおける他の画素７ａに比べて平凸レンズ状集光素２と最も重なっており、画素群８ｂにおいて中央に位置する基準画素１４ｂが画素群８ｂにおける他の画素７ｂに比べて平凸レンズ状集光素２と最も重なっており、画素群８ｃにおいて中央に位置する基準画素１４ｃが画素群８ｃにおける他の画素７ｃに比べて平凸レンズ状集光素２と最も重なっている。
【００２８】
そして、各画素群８において基準画素１４を含む画素列（以下、「基準画素列」という。）１５と等距離にある一対の他の画素列１２が該他の画素列１２に対応する平凸レンズ状集光素列１６に対して基準画素列１５を中心として内側にずれていると共に、基準画素列１５よりも外側の画素列１２ほどずれる幅が大きくなっている。また、各画素群８において基準画素１４を含む画素行（以下、「基準画素行」という。）１７と等距離にある一対の他の画素行１３が該他の画素行１３に対応する平凸レンズ状集光素行１８に対して基準画素行１７を中心として内側にずれていると共に、基準画素行１７よりも外側の画素行１３ほどずれる幅が大きくなっている。
【００２９】
次に、虚像現出装飾体１に現出する虚像について説明する。
【００３０】
虚像現出装飾体１を、片目のみで目視した場合には、各画素群８において基準画素列１５と等距離にある一対の他の画素列１２が該他の画素列１２に対応する平凸レンズ状集光素列１６に対して基準画素列１５を中心として内側へ向かってずれていると共に、基準画素列１５より外側の画素列１２ほどずれる幅が大きくなっているので、図４に示すように、左目１９で目視したときに見えた各画素群８の画像２０ａ，２０ｂ，２０ｃ（図５の（ａ）参照）が右目２１で目視したときには右方向にずれ（図５の（ｂ）参照）、また、右目２１で目視したときに見えた各画素群８の画像２２ａ，２２ｂ，２２ｃ（図６の（ａ）参照）が左目１９で目視したときには左方向にずれる（図６の（ｂ）参照）。即ち、虚像現出装飾体１を左目１９のみで目視したときに見える各画素群８の画像２０ａ，２０ｂ，２０ｃと右目２１のみで目視したときに見える各画素群８の画像２２ａ，２２ｂ，２２ｃとの位置関係を比べると、図４に示すように、目線が交差しないようにずれて画像が現れている。この画像のずれにより、各画素群８ａ，８ｂ，８ｃの画素７ａ，７ｂ，７ｃを拡大した形態の虚像２３ａ，２３ｂ，２３ｃがそれぞれの基準画素１４ａ，１４ｂ，１４ｃを中心として独立した状態で各画素群８ａ，８ｂ，８ｃの奥（下方）に沈んで見える。従って、横書きの文字列（ＡＢＣ）の虚像が虚像現出装飾体１の下方に現出する。
【００３１】
本実施の形態においては、３つの画素群からなる画素層を形成したが、画素群の数は限定されることなく、表現したい文字列の文字数に合わせて増減させればよい。
【００３２】
実施の形態２．
【００３３】
図７は本実施の形態における虚像現出装飾体を模型的に示した一部省略縦断面図であり、各画素群における基準画素を通過するように切断されている。図８は図７に示す虚像現出装飾体における画素層を示した平面図であり、図中、格子線を点線にて示している。図９は図７に示す虚像現出装飾体の平凸レンズ状集光素と画素との位置関係を説明する平面図であり、図中、平凸レンズ状集光素列及び平凸レンズ状集光素行を示す線を実線、画素列及び画素行を示す線を点線にて示している。図１０は図７に示す虚像現出装飾体の上方に現出する虚像を説明する図である。図１１は図７に示す虚像現出装飾体を目視した場合に現出する虚像を左目で目視した後に右目で目視したときの画像を示し、図１１の（ａ）は左目で目視したときの画像を示し、図１１の（ｂ）は右目で目視したときの画像を示している。図１２は図７に示す虚像現出装飾体を目視した場合に現出する虚像を右目で目視した後に左目で目視したときの画像を示し、図１２の（ａ）は右目で目視したときの画像を示し、図１２の（ｂ）は左目で目視したときの画像を示している。これらの図において、図１〜図６と同一符号は同一又は相当部分を示している。２４は、同一形状・同一大きさの平凸レンズ状集光素２を多数形成してなる平凸レンズ状集光素層３と、平凸レンズ状集光素層３の下に積層された透明基板層５と、透明基板層５の下に積層された画素層２６とからなる虚像現出装飾体である。なお、画素層２６は透明フィルム２５に画素２７を多数形成してなる。
【００３４】
画素層２６は、図８に示すように、画素２７を多数縦横に整列させてなる３つの画素群２８から構成されており、３つの画素群２８は縦方向に連続するように並べられている。なお、上段の画素群２８ａは「Ｄ」を１８０  度回転させた形態の画素２７ａ、中段の画素群２８ｂは「Ｏ」を１８０  度回転させた形態の画素２７ｂ、下段の画素群２８ｃは「Ｇ」を１８０  度回転させた形態の画素２７ｃからなっている。
【００３５】
そして、各画素群２８における画素２７は、平凸レンズ状集光素層３における縦方向の間隔より僅かに広い一定間隔で縦方向に整列された格子線９ａと、平凸レンズ状集光素層３における横方向の間隔より僅かに広い一定間隔で横方向に整列された格子線９ｂとからなる格子１０の各枡目毎に形成されていると共に、縦方向及び横方向に一定間隔で整列されている。また、画素２７の縦方向の間隔と横方向の間隔とは一致している。
【００３６】
なお、画素２７の大きさや各画素群２８を構成する画素列１２及び画素行１３の数は、前記実施の形態１と同じ条件によって形成されている。
【００３７】
次に、平凸レンズ状集光素２と画素２７との位置関係を説明する。
【００３８】
平凸レンズ状集光素層３と画素層２６とは、図９に示すように、各画素群２８において中央に位置する基準画素１４が、該基準画素１４を含む画素群２８における他の画素２７に比べて平凸レンズ状集光素２と最も重なるように積層されている。即ち、画素群２８ａにおいて中央に位置する基準画素１４ａが画素群２８ａにおける他の画素２７ａに比べて平凸レンズ状集光素２と最も重なっており、画素群２８ｂにおいて中央に位置する基準画素１４ｂが画素群２８ｂにおける他の画素２７ｂに比べて平凸レンズ状集光素２と最も重なっており、画素群２８ｃにおいて中央に位置する基準画素１４ｃが画素群２８ｃにおける他の画素２７ｃに比べて平凸レンズ状集光素２と最も重なっている。
【００３９】
そして、各画素群２８において基準画素列１５と等距離にある一対の他の画素列１２が該他の画素列１２に対応する平凸レンズ状集光素列１６に対して基準画素列１５を中心として外側にずれていると共に、基準画素列１５よりも外側の画素列１２ほどずれる幅が大きくなっている。また、各画素群２８において基準画素行１７と等距離にある一対の他の画素行１３が該他の画素行１３に対応する平凸レンズ状集光素行１８に対して基準画素行１７を中心として外側にずれていると共に、基準画素行１７よりも外側の画素行１３ほどずれる幅が大きくなっている。
【００４０】
次に、虚像現出装飾体２４に現出する虚像について説明する。
【００４１】
虚像現出装飾体２４を、片目のみで目視した場合には、各画素群２８において基準画素列１５と等距離にある一対の他の画素列１２が該他の画素列１２に対応する平凸レンズ状集光素列１６に対して基準画素列１５を中心として外側へ向かってずれていると共に、基準画素列１５より外側の画素列１２ほどずれる幅が大きくなっているので、左目１９で目視したときに見えた各画素群２８の画像２９ａ，２９ｂ，２９ｃ（図１１の（ａ）参照）が右目２１で目視したときには左方向にずれ（図１１の（ｂ）参照）、また、右目２１で目視したときに見えた各画素群２８の画像３０ａ，３０ｂ，３０ｃ（図１２の（ａ）参照）が左目１９で目視したときには右方向にずれる（図１２の（ｂ）参照）。即ち、虚像現出装飾体２４を左目１９のみで目視したときに見える各画素群２８の画像２９ａ，２９ｂ，２９ｃと右目２１のみで目視したときに見える各画素群２８の画像３０ａ，３０ｂ，３０ｃとの位置関係を比べると、図１０の（ａ）に示すように、目線が交差するようにずれて画像が現れている。この画像のずれにより、図１０の（ｂ）に示すように、各画素群２８の画素２７ａ，２７ｂ，２７ｃを拡大した形態の虚像３１ａ，３１ｂ，３１ｃがそれぞれの基準画素１４ａ，１４ｂ，１４ｃを中心として独立した状態で各画素群２８ａ，２８ｂ，２８ｃの手前（上方）に浮かんで見える。
【００４２】
なお、虚像現出装飾体２４おいては、基準画素列１４を中心として画素列１２が平凸レンズ状集光素列１６に対して外側にずれていると共に基準画素行１７を中心として画素行１３が平凸レンズ状集光素行１８に対して外側にずれているため、それぞれの画素群２８において、画素２７を１８０  度回転させた形態の画像２９，３０及び虚像３１が現出する。従って、虚像現出装飾体２５には、縦書きの文字列（ＤＯＧ）が虚像３１として上方に現出する。
【００４３】
実施の形態３．
【００４４】
図１３は本実施の形態における虚像現出装飾体を模型的に示した一部省略縦断面図である。図１４は図１３に示す虚像現出装飾体における平凸レンズ状集光素層を示した平面図である。図１５は図１３に示す虚像現出装飾体における画素層を示した平面図であり、図中、笑顔の画素及び一方の四角形の画素に係る格子線を一点鎖線、円形の画素及び他方の四角形の画素に係る格子線を点線にて示している。図１６は図１３に示す虚像現出装飾体の平凸レンズ状集光素と画素との位置関係を説明する平面図であり、図中、平凸レンズ状集光素列を実線、画素列を点線にて示している。図１７は図１３に示す虚像現出装飾体に現出する虚像を説明する図である。図１８は画素群の変形例を示した平面図である。これらの図において、図１〜図１２と同一符号は同一又は相当部分を示している。３２は、同一形状・同一大きさの平凸レンズ状集光素２を多数形成してなる平凸レンズ状集光素層３３と、平凸レンズ状集光素層３３の下に積層された透明基板層５と、透明基板層５の下に積層された画素層３４とからなる虚像現出装飾体である。
【００４５】
平凸レンズ状集光素層３３は、図１４に示すように、平凸レンズ状集光素２を縦方向及び横方向に一定間隔で整列させた後、奇数列（図１４中、右端の列から数え始めた場合に奇数番目となる列）に位置する平凸レンズ状集光素２ａを偶数列（図１４中、右端の列から数え始めた場合に偶数番目となる列）に位置する平凸レンズ状集光素２ｂに対して縦方向に僅かにずらした状態で形成されている。
【００４６】
従って、奇数列又は偶数列のいずれか一方に位置する平凸レンズ状集光素２に着目すると、平凸レンズ状集光素２は、縦方向及び横方向にそれぞれ一定間隔で整列されている。
【００４７】
画素層３４は、図１５に示すように、画素３５を多数縦横に整列させてなる２つの画素群３６から構成されており、画素群３６ａは笑顔の形態の画素３５ａと円形の形態の画素３５ｂとからなり、画素群３６ｂは四角形を１８０  度回転させた形態の画素３５ｃ，３５ｄからなっている。
【００４８】
画素群３６ａにおける画素３５ａは、平凸レンズ状集光素層３３の奇数列に位置する平凸レンズ状集光素２ａの縦方向の間隔より僅かに広い一定間隔で整列された格子線９ａと奇数列に位置する平凸レンズ状集光素２ａの横方向の間隔より僅かに広い一定間隔で整列された格子線９ｂとからなる格子１０ａ（図１５中、一点鎖線にて示す。）の各枡目毎に形成されていると共に、縦方向及び横方向にそれぞれ一定間隔で整列されている。また、画素３５ｂは、平凸レンズ状集光素層３３の偶数列に位置する平凸レンズ状集光素２ｂの縦方向の間隔より僅かに広い一定間隔で整列された格子線９ａと偶数列に位置する平凸レンズ状集光素２ｂの横方向の間隔より僅かに広い一定間隔で整列された格子線９ｂとからなる格子１０ｂ（図１５中、点線にて示す。）の各枡目毎に形成されていると共に、縦方向及び横方向にそれぞれ一定間隔で整列されている。そして、画素３５ａからなる画素列１２ａと画素３５ｂからなる画素列１２ｂとが一定間隔で交互に整列されていると共に、画素列１２ａが画素列１２ｂに対して縦方向に僅かにずれた状態になっている。
【００４９】
また、画素群３６ｂにおける画素３５ｃは、平凸レンズ状集光素層３３の奇数列に位置する平凸レンズ状集光素２ａの縦方向の間隔より僅かに狭い一定間隔で整列された格子線９ａと奇数列に位置する平凸レンズ状集光素２ａの横方向の間隔より僅かに狭い一定間隔で整列された格子線９ｂとからなる格子１０ｃ（図１５中、一点鎖線にて示す。）の各枡目毎に形成されていると共に、縦方向及び横方向にそれぞれ一定間隔で整列されている。また、画素３５ｄは、平凸レンズ状集光素層３３の偶数列に位置する平凸レンズ状集光素２ｂの縦方向の間隔より僅かに狭い一定間隔で整列された格子線９ａと偶数列に位置する平凸レンズ状集光素２ｂの横方向の間隔より僅かに狭い一定間隔で整列された格子線９ｂとからなる格子１０ｄ（図１５中、点線にて示す。）の各枡目毎に形成されていると共に、縦方向及び横方向にそれぞれ一定間隔で整列されている。そして、画素３５ｃからなる画素列１２ｃと画素３５ｄからなる画素列１２ｄとが一定間隔で交互に整列されていると共に、画素列１２ｃが画素列１２ｄに対して縦方向に僅かにずれた状態になっている。
【００５０】
なお、画素３５の大きさは、前記実施の形態１と同じ条件によって形成されており、また、奇数列又は偶数列のいずれか一方に位置する画素に着目した場合における画素群３６を構成する画素列の数は、前記実施の形態１と同じ条件によって決定されている。
【００５１】
次に、平凸レンズ状集光素２と画素３５との位置関係を説明する。
【００５２】
平凸レンズ状集光素層３３と画素層３４は、図１６に示すように、画素群３６ａにおいて中央に位置し、且つ、偶数列に位置する画素（以下、「基準画素」という。）３７ｂが、他の画素３５ｂに比べて偶数列に位置する平凸レンズ状集光素２ｂと最も重なっている。そして、画素群３６ａにおいて基準画素３７ｂを含む画素列（以下、「基準画素列」という。）３８ｂと等距離にある一対の他の画素列１２ｂが該他の画素列１２ｂに対応する偶数列の平凸レンズ状集光素列１６ｂに対して基準画素列３８ｂを中心として外側にずれていると共に、基準画素列３８ｂよりも外側の画素列１２ｂほどずれる幅が大きくなっている。また、画素群３６ａにおいて中央近傍に位置し、且つ、奇数列に位置する画素（以下、「基準画素」という。）３７ａが、他の画素３５ａに比べて奇数列に位置する平凸レンズ状集光素２ａと最も重なっている。そして、画素群３６ａにおいて基準画素３７ａを含む画素列（以下、「基準画素列」という。）３８ａと等距離にある一対の他の画素列１２ａが該他の画素行１２ａに対応する奇数列の平凸レンズ状集光素行１６ａに対して基準画素列３８ａを中心として外側にずれていると共に、基準画素列３８ａよりも外側の画素列１２ａほどずれる幅が大きくなっている。
【００５３】
次に、画素群３６ｂにおいて中央に位置し、且つ、奇数列に位置する画素（以下、「基準画素」という。）３７ｃが、他の画素３５ｃに比べて奇数列に位置する平凸レンズ状集光素２ａと最も重なっている。そして、画素群３６ｂにおいて基準画素３７ｃを含む画素列（以下、「基準画素列」という。）３８ｃと等距離にある一対の他の画素列１２ｃが該他の画素列１２ｃに対応する奇数列の平凸レンズ状集光素列１６ａに対して基準画素列３８ｃを中心として内側にずれていると共に、基準画素列３８ｃよりも外側の画素列１２ｃほどずれる幅が大きくなっている。また、画素群３６ｂにおいて中央近傍に位置し、且つ、偶数列に位置する画素（以下、「基準画素」という。）３７ｄが、他の画素３５ｄに比べれ偶数列に位置する平凸レンズ状集光素２ｂと最も重なっている。そして、画素群３６ｂにおいて基準画素３７ｄを含む画素列（以下、「基準画素列」という。）３８ｄと等距離にある一対の他の画素列１２ｄが該他の画素列１２ｄと対応する偶数列の平凸レンズ状集光素列１６ｂに対して基準画素列３８ｄを中心として内側にずれていると共に、基準画素列３８ｄよりも外側の画素列１２ｄほどずれる幅が大きくなっている。
【００５４】
次に、虚像現出装飾体３２に現出する虚像について説明する。
【００５５】
虚像現出装飾体３２は、平凸レンズ状集光素２と画素３５ａ，３５ｂとが前記位置関係にあるので、図１７の（ａ）に示すように、基準画素３７ａを中心として笑顔の画素３５ａを拡大した虚像３９ａが現出すると共に、基準画素３７ａを中心として円形の画素３５ｂを拡大した虚像３９ｂが現出するので、虚像３９ａと虚像３９ｂとを重ねた状態（合成した状態）の虚像３９が画素群３６ａの手前（上方）に浮いて見える（図１７の（ｂ）参照）。また、平凸レンズ状集光素２と画素３５ｃ，３５ｄとが前記位置関係にあるので、基準画素３７ｃを中心として虚像４０ｃが現出すると共に、基準画素３７ｄを中心として虚像４０ｄが現出するので、四角形の虚像４０が画素群３６ｂの奥（下方）に沈んで見える（図１７の（ａ）参照）。従って、笑顔の虚像３９と四角形の虚像４０とがそれぞれ独立した状態で虚像現出装飾体３２の上方又は下方に現出する。
【００５６】
なお、図１８に示すように、画素群３６ａにおける画素３５ａと画素３５ｂとを縦横に交互になるように整列させても、画素３５ａの拡大した虚像３９ａと画素３５ｂの拡大した虚像３９ｂとを重ねた状態の虚像３９が現出する。
【００５７】
実施の形態４．
【００５８】
図１９は本実施の形態に係る虚像現出装飾体の平凸レンズ状集光素と画素との位置関係を説明する平面図であり、図中、平凸レンズ状集光素列及び平凸レンズ状集光素行を示す線を実線、画素列及び画素行を示す線を点線にて示している。図２０は図１９に示す虚像現出装飾体における画素層を示した平面図であり、図中、格子線を点線にて示している。図２１は図１９に示す虚像現出装飾体に現出する虚像を説明する図である。これらの図において、図１〜図６と同一符号は同一又は相当部分を示している。なお、本実施の形態における虚像現出装飾体４１は、前記実施の形態１における画素層の画素の配列を変更したのものである。
【００５９】
本実施の形態における画素層は、図２０に示すように、画素７を多数縦横に整列させてなる３つの画素群４２から構成されており、３つの画素群４２は横方向に連続するように並べられている。そして、左側の画素群４２ａは「Ａ」を１８０  度回転させた形態の画素７ａ、中央の画素群４２ｂは「Ｂ」を縦方向に反転させた形態の画素７ｂ、右側の画素群４２ｃは「Ｃ」の形態の画素７ｃからなっている。
【００６０】
画素群４２ａにおける画素７ａは、平凸レンズ状集光素２における縦方向の間隔より僅かに広い一定間隔で縦方向に整列された格子線９ａと、平凸レンズ状集光素２における横方向の間隔より僅かに広く、且つ、格子線９ａの間隔よりも僅かに狭い一定間隔で横方向に整列された格子線９ｂとからなる格子１０ａの各枡目毎に形成されており、縦方向及び横方向にそれぞれ一定間隔にて整列されている。
【００６１】
画素群４２ｂにおける画素７ｂは、平凸レンズ状集光素２における縦方向の間隔より僅かに広い一定間隔で縦方向に整列された格子線９ａと、平凸レンズ状集光素２における横方向の間隔より僅かに狭い一定間隔で横方向に整列された格子線９ｂとからなる格子１０ｂの各枡目毎に形成されており、縦方向及び横方向にそれぞれ一定間隔にて整列されている。
【００６２】
画素群４２ｃにおける画素７ｃは、平凸レンズ状集光素２における縦方向の間隔より僅かに狭い一定間隔で縦方向に整列された格子線９ａと、平凸レンズ状集光素２における横方向の間隔より僅かに狭く、且つ、格子線９ａの間隔よりも僅かに広い一定間隔で横方向に整列された格子線９ｂとからなる格子１０ｃの各枡目毎に形成されており、縦方向及び横方向にそれぞれ一定間隔にて整列されている。
【００６３】
次に、平凸レンズ状集光素２と画素７との位置関係を説明する。
【００６４】
図１９に示すように、各画素群４２ａ，４２ｂ，４２ｃにおいて中央に位置する基準画素１４ａ，１４ｂ，１４ｃが、該基準画素１４ａ，１４ｂ，１４ｃを含む画素群４２ａ，４２ｂ，４２ｃにおける他の画素７に比べて平凸レンズ状集光素２と最も重なるように積層されている。
【００６５】
そして、画素群４２ａにおいては、基準画素１４ａを含む基準画素列１５と等距離にある一対の他の画素列１２が該他の画素列１２に対応する平凸レンズ状集光素列１６に対して基準画素列１５を中心として外側にずれていると共に、基準画素列１５よりも外側の画素列１２ほどずれる幅が大きくなっている。また、基準画素１４ａを含む基準画素行１７と等距離にある一対の他の画素行１３が該他の画素行１３に対応する平凸レンズ状集光素行１８に対して基準画素行１７を中心として外側に前記画素列１２のずれ幅よりも大きな幅でずれていると共に、基準画素行１７よりも外側の画素行１３ほどずれる幅が大きくなっている。
【００６６】
また、画素群４２ｂにおいては、基準画素１４ｂを含む基準画素列１５と等距離にある一対の他の画素列１２が該他の画素列１２に対応する平凸レンズ状集光素列１６に対して基準画素列１５を中心として内側にずれていると共に、基準画素列１５よりも外側の画素列１２ほどずれる幅が大きくなっている。また、基準画素１４ｂを含む基準画素行１７と等距離にある一対の他の画素行１３が該他の画素行１３に対応する平凸レンズ状集光素行１８に対して基準画素行１７を中心として前記画素列１２と同じずれ幅で外側にずれていると共に、基準画素行１７よりも外側の画素行１３ほどずれる幅が大きくなっている。
【００６７】
また、画素群４２ｃにおいては、基準画素１４ｃを含む基準画素列１５と等距離にある一対の他の画素列１２が該他の画素列１２に対応する平凸レンズ状集光素列１６に対して基準画素列１５を中心として内側にずれていると共に、基準画素列１５よりも外側の画素列１２ほどずれる幅が大きくなっている。また、基準画素１４ｃを含む基準画素行１７と等距離にある一対の他の画素行１３が該他の画素行１３に対応する平凸レンズ状集光素行１８に対して基準画素行１７を中心として内側に前記画素列１２のずれ幅よりも大きな幅でずれていると共に、基準画素行１７よりも外側の画素行１３ほどずれる幅が大きくなっている。
【００６８】
次に、虚像現出装飾体４１に現出する虚像について説明する。
【００６９】
虚像現出装飾体４１をＸ方向（図１９参照）から目視した場合には、各画素群４２における画素列１２と平凸レンズ状集光素列１６とが前記位置関係にあるので、図２１の（ａ）に示すように、画素群４２ａの上方に「Ａ」を横方向に延ばした形態の虚像４３ａが現出し、画素群４２ｂの下方に「Ｂ」の形態の虚像４３ｂが現出し、画素群４２ｃの下方に「Ｃ」を横方向に延ばした形態の虚像４３ｃが現出する。次に、虚像現出装飾体４１をＹ方向（図１９参照）から目視した場合には、Ｘ方向から目視した場合における画素列１２が画素行に入れ代わると共に、画素行１３が画素列に入れ代わるため、図２１の（ｂ）に示すように、画素群４２ａの上方に横向きの状態の「Ａ」を縦方向に延ばした形態の虚像４４ａが現出し、画素群４２ｂの上方に横向きの状態の「Ｂ」の形態の虚像４４ｂが現出し、画素群４２ｃの下方に横向きの状態の「Ｃ」を縦方向に延ばした形態の虚像４４ｃが現出する。
【００７０】
なお、画素群４２ａ，４２ｃを構成する画素の虚像４３ａ，４３ｃ，４４ａ，４４ｃは画素７ａ，７ｃを延ばした形態となって現出するが、これは、画素列１２の平凸レンズ状集光素列１６に対するずれ幅と画素行１３の平凸レンズ状集光素行１８に対するずれ幅との相違によるものである。即ち、虚像現出装飾体４１をＸ方向から目視した場合には、画素行１３の平凸レンズ状集光素行１８に対するずれ幅よりも画素列１２の平凸レンズ状集光素列１６に対するずれ幅の方が小さいため、虚像４３ａ，４３ｃは画素７ａ，７ｃを横方向に延ばした形態となって現出する。一方、虚像現出装飾体４１をＹ方向から目視した場合には、画素列の平凸レンズ状集光素列に対するずれ幅よりも画素行の平凸レンズ状集光素行に対するずれ幅の方が小さいため、虚像４４ａ，４４ｃは画素７ａ，７ｃを縦方向に延ばした形態となって現出する。なお、画素群４２ｂや前記実施の形態１，２のように両ずれ幅を一致させれば、虚像は画素と同一形態となって現出する。
【００７１】
また、図２１の（ａ）及び図２１の（ｂ）に示すように、虚像４３ａは虚像４４ａよりも手前（上方）に現出し、また、虚像４３ｃは虚像４４ｃよりも奥（下方）に現出するが、これは、虚像現出装飾体４１を目視する方向によって画素列の平凸レンズ状集光素列に対するずれ幅が異なるからである。即ち、虚像現出装飾体４１をＸ方向から目視した場合における画素列１２の平凸レンズ状集光素列１６に対するずれ幅がＹ方向から目視した場合における画素列の平凸レンズ状集光素列に対するずれ幅よりも小さいため、虚像４３ａは虚像４４ａよりも手前に現出し、また、虚像４３ｃは虚像４４ｃよりも奥に現出する。
【００７２】
また、本発明において、画素群を構成する画素の向きと該画素群から現出する虚像の向きとの関係は、基準画素列を中心とした場合における平凸レンズ状集光素列に対する画素列のずれる向き（内側又は外側）及び基準画素行と中心とした場合における平凸レンズ状集光素行に対する画素行のずれる向き（内側又は外側）とに関連している。具体的には、画素列が平凸レンズ状集光素列に対して内側にずれていると共に画素行が平凸レンズ状集光素行に対して内側にずれている場合には、虚像は画素と同じ向きで現出する。しかし、画素列が平凸レンズ状集光素列に対して内側にずれていると共に画素行が平凸レンズ状集光素行に対して外側にずれている場合には、虚像は画素を縦方向に反転させた向きで現出する。また、画素列が平凸レンズ状集光素列に対して外側にずれていると共に画素行が平凸レンズ状集光素行に対して内側にずれている場合には、虚像は画素を横方向に反転させた向きで現出する。さらに、画素列が平凸レンズ状集光素列に対して外側にずれていると共に画素行が平凸レンズ状集光素行に対して外側にずれている場合には、虚像は画素を１８０  度回転させた向き、換言すれば、画素を縦方向に反転させると共に横方向に反転させた向きで現出する。
【００７３】
前記各実施の形態においては、各画素群を構成する画素として一種又は二種の形態のものを使用したが、これに限定されることなく、例えば、画素群の一方端に位置する画素列（又は画素行）から他方端に位置する画素列（又は画素行）に向けて画素の大きさ、形態又は向きを徐々に変更させたものを使用してもよい。また、画素群の画素列を順に同じ傾斜角を累積する傾斜パターンにて同一方向に並んで傾斜するように整列させたものを使用してもよい。
【００７４】
なお、本発明における画素層の格子は、画素層における画素の配列又は大きさを説明するためのものであり、画素層を構成するものではない。
【００７５】
【実施例】
実施例１．
【００７６】
透明基板層として厚さ１ｍｍのポリカーボネート製透明基板（商品名：ユーピロンＮＦ２０００・三菱瓦斯化学株式会社製）を用意した。先ず、透明基板の上面に透明インク（商品名：４１００番シリーズ・十条化成株式会社製）を用いて横方向の間隔０．５６４ｍｍ  ・縦方向の間隔０．５６４ｍｍ  （４５．０線）にて直径０．２２７ｍｍ  の平凸レンズ状集光素をスクリーン印刷して平凸レンズ状集光素層を形成した。次に、透明基板の下面に黒色インク（商品名：ＳＧ７００  ・株式会社セイコーアドバンス製）を用いて「Ｄ」の形態の画素からなる画素群、「Ｏ」の形態の画素からなる画素群及び「Ｇ」の形態の画素からなる画素群を印刷して画素層を形成した。
【００７７】
各画素群の画素は、横方向の間隔０．５５７ｍｍ  ・縦方向の間隔０．５５７ｍｍ  からなる格子の各枡目毎に形成した。画素の大きさは、格子の枡目に対して６６％の大きさの枠内に納まる大きさとした。なお、各画素群における画素列の総数を５５とし、画素行を総数を５５とした。
【００７８】
各画素群の具体的な形成方法は、先ず、パーソナルコンピュータ（商品名：Ｐｏｗｅｒ  Ｍａｃ  ９６００／３００・Ａｐｐｌｅ  社製）にて、編集処理アプリケーション（商品名：Ａｄｏｂｅ  Ｉｌｌｕｓｔｒａｔｏｒ  ：Ａｄｏｂｅ  ｓｙｓｔｅｍｓ  社製）を用いて前記条件を満たす画素群の画像データを作成し、続いて、画像データを出力処理アプリケーション（商品名：Ｑｕａｒｋ  ＸＰｒｅｓｓ  ３．３Ｊ  ：Ａｄｏｂｅ  ｓｙｓｔｅｍｓ  社製）を用いてパーソナルコンピュータ（商品名：Ｐｏｗｅｒ  Ｍａｃ  ９６００／３５０・Ａｐｐｌｅ  社製）に転送し、転送された画像データを演算処理アプリケーション（商品名：ＡＤ−３１０ＰＭ  Ｖｅｒ２．０  ：大日本スクリーン製造株式会社製）にてイメージデータに変換した後、イメージセッター（商品名：ＦＴ−Ｒ３０５０：大日本スクリーン製造株式会社製）に転送し、自動現像機（商品名：ＫＯＤＡＭＡＴＩＣ  ７１０  Ｐｒｏｃｅｓｓｏｒ  ：日本コダック株式会社製）にて、前記透明基板の下面に前記画素群を形成した。
【００７９】
虚像現出装飾体を上方から目視したところ、「ＤＯＧ」の文字列からなる虚像が虚像現出装飾体の下方に沈んで現出していることを確認した。
【００８０】
実施例２．
【００８１】
前記実施例１と同様にして平凸レンズ状集光素層を形成した透明基板の下面に「Ｄ」を１８０  度回転させた形態の画素からなる画素群、「Ｏ」を１８０  度回転させた形態の画素からなる画素群及び「Ｇ」を１８０  度回転させた形態の画素からなる画素群を印刷して画素層を形成した。
【００８２】
各画素群の画素は、横方向の間隔０．５７６ｍｍ  ・縦方向の間隔０．５７６ｍｍ  からなる格子の各枡目毎に形成した。画素の大きさは、格子の枡目に対して３８％の大きさの枠内に納まる大きさとした。なお、各画素群における画素列の総数を４３とし、画素行を総数を４３とした。
【００８３】
虚像現出装飾体を上方から目視したところ、「ＤＯＧ」の文字列からなる虚像が虚像現出装飾体の上方に浮いて現出していることを確認した。
【００８４】
実施例３．
【００８５】
厚さ０．１ｍｍ  の透明フィルム（商品名：大日本スクリーン印刷株式会社製ＦＴＲ３０５０  用フィルムＨＬＮＷＬ  ：富士写真フィルム株式会社製）を用意した。そして、透明フィルムの片面に「Ｗ」の形態の画素からなる画素群、「○」の形態の画素からなる画素群及び「あ」の形態の画素からなる画素群を印刷して画素層を形成した。
【００８６】
各画素群の画素は、横方向の間隔０．５５９ｍｍ  ・縦方向の間隔０．５５９ｍｍ  からなる格子の各枡目毎に形成した。画素の大きさは、格子の枡目に対して８０％の大きさの枠内に納まる大きさとした。なお、各画素群における画素列の総数を９７とし、画素行の総数を９７とした。
【００８７】
そして、前記実施例１における平凸レンズ状集光素層のみを形成した透明基板の下面側に透明フィルムを積層して虚像現出装飾体を得た。
【００８８】
虚像現出装飾体を上方から目視したところ、「Ｗ○あ」からなる虚像が虚像現出装飾体の下方に沈んで現出していることを確認した。
【００８９】
実施例４．
【００９０】
前記実施例３と同様にして透明フィルムの片面に「Ｗ」を１８０  度回転させた形態の画素画素からなる画素群、「○」を１８０  度回転させた形態の画素からなる画素群及び「あ」を１８０  度回転させた形態の画素からなる画素群を印刷して画素層を形成した。
【００９１】
各画素群の画素は、横方向の間隔０．５７２ｍｍ  ・縦方向の間隔０．５７２ｍｍ  からなる格子の各枡目毎に形成した。画素の大きさは、格子の枡目に対して８０％の大きさの枠内に納まる大きさとした。なお、各画素群における画素列の総数を８７とし、画素行を総数を８７とした。
【００９２】
そして、前記実施例１における平凸レンズ状集光素層のみを形成した透明基板の下面側に透明フィルムを積層して虚像現出装飾体を得た。
【００９３】
虚像現出装飾体を上方から目視したところ、「Ｗ○あ」からなる虚像が虚像現出装飾体の上方に浮いて現出していることを確認した。
【００９４】
実施例５．
【００９５】
前記実施例３と同様にして透明フィルムの片面に「○」の形態の画素からなる画素群、「Ａ」の形態の画素からなる画素群及び「□」の形態の画素からなる画素群を印刷して画素層を形成した。
【００９６】
各画素群の画素は、横方向の間隔０．５５９ｍｍ  ・縦方向の間隔０．５５９ｍｍ  からなる格子の各枡目毎に形成した。画素の大きさは、格子の枡目に対して３０％の大きさの枠内に納まる大きさとした。なお、各画素群における画素列の総数を９７とし、画素行の総数を９７とした。
【００９７】
そして、前記実施例１における平凸レンズ状集光素層のみを形成した透明基板の下面側に透明フィルムを積層して虚像現出装飾体を得た。
【００９８】
虚像現出装飾体を上方から目視したところ、「○Ａ□」からなる虚像が虚像現出装飾体の下方に沈んで現出していることを確認した。
【００９９】
実施例６．
【０１００】
前記実施例３と同様にして透明フィルムの片面に「○」を１８０  度回転させた形態の画素からなる画素群、「Ａ」を１８０  度回転させた形態の画素からなる画素群及び「□」を１８０  度回転させた形態の画素からなる画素群を印刷して画素層を形成した。
【０１０１】
各画素群の画素は、横方向の間隔０．５７２ｍｍ  ・縦方向の間隔０．５７２ｍｍ  からなる格子の各枡目毎に形成した。画素の大きさは、格子の枡目に対して３０％の大きさの枠内に納まる大きさとした。なお、各画素群における画素列の総数を８７とし、画素行の総数を８７とした。
【０１０２】
そして、前記実施例１における平凸レンズ状集光素層のみを形成した透明基板の下面側に透明フィルムを積層して虚像現出装飾体を得た。
【０１０３】
虚像現出装飾体を上方から目視したところ、「○Ａ□」からなる虚像が虚像現出装飾体の上方に浮いて現出していることを確認した。
【０１０４】
実施例７．
【０１０５】
前記実施例３と同様にして透明フィルムの片面に「上」を１８０  度回転させた形態の画素からなる画素群及び「下」の形態の画素からなる画素群を印刷して画素層を形成した。
【０１０６】
「上」を１８０  度回転させた形態の画素からなる画素群の画素は、横方向の間隔０．５７６ｍｍ  ・  縦方向の間隔０．５７６ｍｍ  からなる格子の各枡目毎に形成した。画素の大きさは、格子の枡目に対して６３％の大きさの枠内に納まる大きさとした。なお、各画素群における画素列の総数を５５とし、画素行の総数を５５とした。
【０１０７】
また、「下」の形態の画素からなる画素群の画素は、横方向の間隔０．５５７ｍｍ  ・縦方向の間隔０．５５７ｍｍ  からなる格子の各枡目毎に形成した。画素の大きさは、格子の枡目に対して５６％の大きさの枠内に納まる大きさとした。なお、各画素群における画素列の総数を５７とし、画素行の総数を５７とした。
【０１０８】
そして、前記実施例１における平凸レンズ状集光素層のみを形成した透明基板の下面側に透明フィルムを積層して虚像現出装飾体を得た。
【０１０９】
虚像現出装飾体を上方から目視したところ、「上」の形態の虚像が虚像現出装飾体の上方に浮いて現出し、「下」の形態の虚像が虚像現出装飾体の下方に沈んで現出し、全体として「上下」の文字列からなる虚像が虚像現出装飾体の上方又は下方に現出していることを確認した。
【０１１０】
【発明の効果】
本発明によれば、画素層を構成する各画素の形状をそれぞれ文字列全体の形状にするのではなく、画素層を文字列の字数に対応した複数の画素群から構成し、一つの画素群を構成する各画素の形状をそれぞれ文字列を構成する一つの文字の形状にすることにより、それぞれの画素群毎に独立して現出する一つの文字の形態からなる虚像を組み合わせて文字列を表現するため、各画素の形状を複雑にする必要がなく、画素の印刷を容易に行うことができる。また、文字列の字数が増えても、画素群の数を増やすことによって対応することができ、文字列の字数が制限されない。
【０１１１】
従って、本発明の産業上利用性は非常に高いといえる。
【図面の簡単な説明】
【図１】実施の形態１における虚像現出装飾体を模型的に示した一部省略縦断面図である。
【図２】図１に示す虚像現出装飾体における画素層を示した平面図である。
【図３】図１に示す虚像現出装飾体の平凸レンズ状集光素と画素との位置関係を説明する平面図である。
【図４】図１に示す虚像現出装飾体の下方に現出する虚像を説明する図である。
【図５】図１に示す虚像現出装飾体を目視した場合に現出する虚像を左目で目視した後に右目で目視したときの画像を示した図である。
【図６】図１に示す虚像現出装飾体を目視した場合に現出する虚像を右目で目視した後に左目で目視したときの画像を示した図である。
【図７】実施の形態２における虚像現出装飾体を模型的に示した一部省略縦断面図である。
【図８】図７に示す虚像現出装飾体における画素層を示した平面図である。
【図９】図７に示す虚像現出装飾体の平凸レンズ状集光素と画素との位置関係を説明する平面図である。
【図１０】図７に示す虚像現出装飾体の上方に現出する虚像を説明する図である。
【図１１】図７に示す虚像現出装飾体を目視した場合に現出する虚像を左目で目視した後に右目で目視したときの画像を示した図である。
【図１２】図７に示す虚像現出装飾体を目視した場合に現出する虚像を右目で目視した後に左目で目視したときの画像を示した図である。
【図１３】実施の形態３における虚像現出装飾体を模型的に示した一部省略縦断面図である。
【図１４】図１３に示す虚像現出装飾体における平凸レンズ状集光素層を示した平面図である。
【図１５】図１３に示す虚像現出装飾体における画素層を示した平面図である。
【図１６】図１３に示す虚像現出装飾体の平凸レンズ状集光素と画素との位置関係を説明する平面図である。
【図１７】図１３に示す虚像現出装飾体に現出する虚像を説明する図である。
【図１８】画素群の変形例を示した平面図である。
【図１９】実施の形態４に係る虚像現出装飾体の平凸レンズ状集光素と画素との位置関係を説明する平面図である。
【図２０】図１９に示す虚像現出装飾体における画素層を示した平面図である。
【図２１】図１９に示す虚像現出装飾体に現出する虚像を説明する図である。
【符号の説明】
１，２４，３２，４１  虚像現出装飾体
２  平凸レンズ状集光素
３，３３  平凸レンズ状集光素層
４  透明基板
５  透明基板層
６，２６，３４  画素層
７，２７，３５  画素
８，２８，３６，４２  画素群
９  格子線
１０  格子
１１  枠
１２  画素列
１３  画素行
１４，３７  基準画素
１５，３８  基準画素列
１６  平凸レンズ状集光素列
１７  基準画素行
１８  平凸レンズ状集光素行
１９  左目
２０，２２，２９，３０  画像
２１  右目
２３，３１，３９，４０，４３，４４  虚像
２５  透明フィルム
【図１】
2005007593.tif 000003
【図２】
2005007593.tif 000004
【図３】
2005007593.tif 000005
【図４】
2005007593.tif 000006
【図５】
2005007593.tif 000007
【図６】
2005007593.tif 000008
【図７】
2005007593.tif 000009
【図８】
2005007593.tif 000010
【図９】
2005007593.tif 000011
【図１０】
2005007593.tif 000012
【図１１】
2005007593.tif 000013
【図１２】
2005007593.tif 000014
【図１３】
2005007593.tif 000015
【図１４】
2005007593.tif 000016
【図１５】
2005007593.tif 000017
【図１６】
2005007593.tif 000018
【図１７】
2005007593.tif 000019
【図１８】
2005007593.tif 000020
【図１９】
2005007593.tif 000021
【図２０】
2005007593.tif 000022
【図２１】
2005007593.tif 000023